(57)【要約】【課題】キーシート単体の反りやうねりやズレ、筐体からの飛び出しを防止したキーシート構造を提供する。【解決手段】複数のキー部１が間に筐体３を介さずにキーシート上に配列され、キー部１が押下されると基板５上の対応する接点部４を導通させるユーザインタフェースのキーシート構造であって、キーシートには、キー部１同士の間に基板５との間隔を所定の間隔に保つためのフレーム部２の基板５側に少なくとも一つのピン形状部６が形成されており、基板５には、ピン形状部６と対応する位置に、ピン形状部６が嵌合可能な貫通穴７が形成されている。【選択図】図１
2008243680.tif 000002
【特許請求の範囲】
【請求項１】
複数のキートップが間に筐体を介さずにキーシート上に配列され、前記キートップが押下されると基板上の対応する接点を導通させるユーザインタフェースのキーシート構造であって、
前記キーシートには、前記キートップ同士の間に前記基板との間隔を所定の間隔に保つための厚肉部の前記基板側に少なくとも一つの突起が形成されており、
前記基板には、前記突起と対応する位置に、該突起が嵌合可能な穴が形成されていることを特徴とするキーシート構造。
【請求項２】
前記穴は貫通穴であり、前記突起は前記穴を介して基板を貫通する高さであることを特徴とする請求項１記載のキーシート構造。
【請求項３】
前記突起の外形は、前記穴よりも大きいことを特徴とする請求項２記載のキーシート構造。
【請求項４】
前記突起には、前記基板に係合する返し形状が形成されていることを特徴とする請求項２又は３記載のキーシート構造。
【請求項５】
前記突起の先端に、放射状の切り込みが形成されていることを特徴とする請求項２から４のいずれか１項記載のキーシート構造。
【請求項６】
前記突起の先端に、盲穴が形成されていることを特徴とする請求項２から４のいずれか１項記載のキーシート構造。
【発明の詳細な説明】
【技術分野】
【０００１】
本発明は、シート状のキー構造を採用する電子機器において、実使用時における取付部位の強度を確保する構造に関する。
【背景技術】
【０００２】
図２に、従来の一般的なキーシート構造を備えた携帯電話機の外観を示す。また、図３に、従来の一般的なキーシート構造の断面を示す。
従来のキーシート構造は、キー部１及びフレーム２を備えたキーシートと、筐体３と、接点部４と基板５とで構成されている。キー部１は、操作する際にユーザが触れる部分（いわゆるキートップ）である。フレーム２は、キーシートの肉厚部分であり隣接するキー同士を区分するとともにし、操作部の外周を囲う部分である。筐体３は、携帯端末そのものの筐体の一部であり、操作部においては格子状になっている。接点部４は、キー部１が押下された場合にのみ導通する接点であり、一般的にはメタルドームが用いられる。基板５は、電気回路が形成された基板であり、携帯端末としての機能を司るＣＰＵやメモリなど（いずれも不図示）が搭載されている。
【０００３】
昨今、電子機器の小型化に伴い、キー操作部の面積も縮小されつつある。このため、キー部の面積を少しでも拡大し、操作性を向上させることが要求されている。
【０００４】
しかし、従来の一般的なキーシート構造では、操作部に筐体３が存在しているため、キー部１の面積を大きく確保する妨げになっていた。このため、特許文献１に開示される発明のように、狭ピッチキー構造のキーシート構造が適用されることも多くなっている。
【０００５】
図４に狭ピッチのキーシート構造を採用した携帯電話機の外観を示す。図５に、狭ピッチのキーシート構造の断面を示す。このキーシート構造は、キー部１、フレーム２、筐体３、接点部４及び基板５を有する。従来の一般的なキーシート構造とは異なり、個々のキー同士の間に筐体３が存在していない。
【０００６】
図示するように、キー同士の間に筐体３が存在しないことにより、操作部全体の面積が同じであっても、キー部１の面積をより大きく確保できる。換言すると、操作部全体の面積に占めるキー部１の面積の割合をより大きくできる。
【特許文献１】特開２００６−１４７２９２号公報
【発明の開示】
【発明が解決しようとする課題】
【０００７】
しかし、このような狭ピッチキー構造では、キーシートの製品バラツキや製品が市場に出た後の経歴変化によってキーシートに反りが発生した場合に、キーシートが波打って各キーが凹凸した状態となってしまうことがある。
【０００８】
また、キー部１を押下しながら横方向に力を加えると、キーシート全体がずれてしまう可能性がある。
【０００９】
さらに、落下などの衝撃によって、キーシートと基板との間に隙間が生じてしまうことがある。このような場合には、キーシート自体が筐体から飛び出してしまうことがある。また、折り畳み型の携帯端末の場合には、浮き上がったキー部に付着している皮脂が、折り畳み時に対向する表示部に付着してしまい、表示部の視認性が低下してしまうこともある。
【００１０】
本発明は係る問題に鑑みてなされたものであり、キーシート単体の反りやうねりやズレ、筐体からの飛び出しを防止したキーシート構造を提供することを目的とする。
【課題を解決するための手段】
【００１１】
本発明は、上記目的を達成するために、複数のキートップが間に筐体を介さずにキーシート上に配列され、キートップが押下されると基板上の対応する接点を導通させるユーザインタフェースのキーシート構造であって、キーシートには、キートップ同士の間に基板との間隔を所定の間隔に保つための厚肉部の基板側に少なくとも一つの突起が形成されており、基板には、突起と対応する位置に、該突起が嵌合可能な穴が形成されていることを特徴とするキーシート構造を提供するものである。
【００１２】
本発明においては、穴は貫通穴であり、突起は穴を介して基板を貫通する高さであることが好ましく、これに加えて、突起の外形は、穴よりも大きいことが好ましい。
【００１３】
上記のいずれの構成においても、突起には、基板に係合する返し形状が形成されていることが好ましい。また、突起の先端に、放射状の切り込み又は盲穴が形成されていることが好ましい。
【発明の効果】
【００１４】
本発明によれば、キーシート単体の反りやうねりやズレ、筐体からの飛び出しを防止したキーシート構造を提供できる。
【発明を実施するための最良の形態】
【００１５】
本発明の好適な実施の形態について説明する。図１に、本実施形態にかかるキーシート構造の断面を示す。このキーシート構造は、キー部１及びフレーム２を備えたキーシートと、筐体３と、接点部４と基板５とを有する。従来の狭ピッチキー構造と同様に、操作部には筐体３が配置されていない。
【００１６】
フレーム２の下面には、ピン形状部６が形成されている。また、基板５にはピン形状部６と嵌合可能な貫通穴７が形成されている。
ピン形状部６を貫通穴７に係合可能とするためには、キーフレームを弾性変形可能な材質（ゴムや樹脂など）で形成し、ピン形状部６の外形を貫通穴７よりも若干大きくして、ピン形状部６を弾性変形させながら貫通穴７に挿入できるようにすると良い。また、ピン径上部６の先端近傍の外形を貫通穴７よりも大きくして、ピン形状部６に返しを設けても良い。
また、ピン形状部６の先端に十字状（放射状）の切り込みや穴を形成することによって、ピン形状部６を貫通穴７に挿入しやすくすると良い。
【００１７】
キーシートは、ピン形状部６が貫通穴７に嵌合することによって、基板５と所定の間隔が保たれた状態で固定されている。
【００１８】
ピン形状部６と貫通穴７とのピン結合により、キーシートと基板５との二部品間に拘束力が働くため、キーシートがずれたり浮き上がったりすることが防止される。
【００１９】
このように、本実施形態にかかるキーシート構造によれば、キーシート単体の反りやうねりやズレ、筐体からの飛び出しを防止できる。よって、折り畳み型の携帯端末に適用した場合には、キートップに付着している皮脂が表示部に転移することを防止できる。
【００２０】
本実施形態に係るキーシート構造は、携帯電話機のみならず、あらゆる電子機器に適用可能であることは言うまでもない。
【００２１】
なお、上記実施形態は本発明の好適な実施の一例であり、本発明はこれに限定されることは無く様々な変形が可能である。
【図面の簡単な説明】
【００２２】
【図１】本発明の好適な実施の形態にかかるキーシート構造の断面を示す図である。
【図２】従来の一般的なキーシート構造を適用した携帯電話機の外観を示す図である。
【図３】従来の一般的なキーシート構造の断面を示す図である。
【図４】従来の狭ピッチキー構造のキーシート構造を適用した携帯電話機の外観を示す図である。
【図５】従来の狭ピッチキー構造のキーシートの断面を示す図である。
【符号の説明】
【００２３】
１    キー部
２    フレーム
３    筐体
４    接点部
５    基板
６    ピン形状部
７    貫通穴
【図１】
2008243680.tif 000003
【図２】
2008243680.tif 000004
【図３】
2008243680.tif 000005
【図４】
2008243680.tif 000006
【図５】
2008243680.tif 000007